(57)【特許請求の範囲】
【請求項１】
コンピュータを、
表示部を有する第１の装置及び第２の装置において表示される仮想の付箋に対応する付箋情報と、前記第１の装置及び前記第２の装置に前記付箋の背景として表示される仮想の台紙に対応する台紙情報であって、前記付箋情報が関連付けられる台紙情報とを用いて、
前記第１の装置において複数の前記台紙情報から選択された台紙情報に対応する仮想の台紙を前記第１の装置の表示部に出力し、前記第２の装置において付箋情報を送信する送信先の台紙情報として選択された台紙情報に対応する仮想の台紙を前記第２の装置に出力する出力手段として機能させるための台紙管理プログラム。
【請求項２】
前記出力手段を、前記第２の装置において前記送信先として選択された台紙情報に対応する仮想の台紙が前記第１の装置で非表示の場合に、表示中の場合とは異なる修飾表示とともに前記仮想の台紙を前記第２の装置に出力する出力手段としてさらに機能させるための請求項１に記載の台紙管理プログラム。
【請求項３】
前記出力手段を、優先されるべき台紙情報に対応する仮想の台紙を、優先されていない台紙情報に対応する仮想の台紙とは異なる修飾表示とともに、当該選択された仮想の台紙を前記第１の装置又は前記第２の装置に出力する出力手段としてさらに機能させるための請求項１又は２に記載の台紙管理プログラム。
【請求項４】
前記出力手段を、前記第１の装置において表示されている仮想の台紙が優先されるべきものである場合、第１の修飾表示とともに前記仮想の台紙を前記第１の装置に出力する出力手段としてさらに機能させるための請求項１−３のいずれか１項に記載の台紙管理プログラム。
【請求項５】
前記出力手段を、前記第１の装置において表示されている仮想の台紙が優先されるべきものでない場合、前記第１の装置において強調度が前記第１の修飾表示と異なる第２の修飾表示とともに前記仮想の台紙を前記第１の装置に出力する出力手段としてさらに機能させるための請求項１−４のいずれか１項に記載の台紙管理プログラム。
【請求項６】
前記出力手段を、前記第２の装置において前記送信先として選択された台紙情報に対応する仮想の台紙が前記第１の装置で表示中かつ前記台紙情報が優先されるべきものとして選択されている場合、前記第１の修飾表示とともに当該仮想の台紙を前記第２の装置に出力する出力手段としてさらに機能させるための請求項１−５のいずれか１項に記載の台紙管理プログラム。
【請求項７】
前記出力手段を、前記第２の装置において前記送信先として選択された台紙情報に対応する仮想の台紙が前記第１の装置で表示中かつ前記台紙情報が優先されるべきものでない場合、又は前記第１の装置で非表示かつ前記台紙情報が優先されるべきものである場合、強調度が前記第１の修飾表示と異なる第２の修飾表示とともに当該仮想の台紙を前記第２の装置に出力する出力手段としてさらに機能させるための請求項１−６のいずれか１項に記載の台紙管理プログラム。
【請求項８】
前記出力手段を、前記第２の装置において前記送信先として選択された台紙情報に対応する仮想の台紙が、前記第１の装置で非表示かつ前記台紙情報が優先されるべきものでない場合、前記第１の修飾表示との強調度の差が、前記第２の修飾表示よりも大きい第３の修飾表示とともに当該仮想の台紙を前記第２の装置に出力する出力手段としてさらに機能させるための請求項１−７のいずれか１項に記載の台紙管理プログラム。
【請求項９】
前記出力手段は、前記第２の装置において前記送信先として選択された台紙情報に対応する仮想の台紙が前記第１の装置で表示中かつ前記台紙情報が優先されるべきものである場合、第１の修飾表示とともに当該台紙情報に対する操作用画像を前記第２の装置に出力する出力手段としてさらに機能させるための請求項１−８のいずれか１項に記載の台紙管理プログラム。
【請求項１０】
前記出力手段は、前記第２の装置において前記送信先として選択された台紙情報に対応する仮想の台紙が前記第１の装置で表示中かつ前記台紙情報が優先されるべきものでない場合、又は前記第１の装置で非表示かつ前記台紙情報が優先されるべきものである場合、強調度が前記第１の修飾表示と異なる第２の修飾表示とともに前記台紙情報に対する前記操作用画像を前記第２の装置に出力する出力手段としてさらに機能させるための請求項１−９のいずれか１項に記載の台紙管理プログラム。
【請求項１１】
前記出力手段は、前記第２の装置において前記送信先として選択された台紙情報に対応する仮想の台紙が前記第１の装置で非表示かつ前記台紙情報が優先されるべきものでない場合、前記第１の修飾表示との強調度の差が、前記第２の修飾表示よりも大きい第３の修飾表示で前記台紙情報に対する前記操作用画像を前記第２の装置に出力する出力手段としてさらに機能させるための請求項１−１０のいずれか１項に記載の台紙管理プログラム。
【請求項１２】
前記出力手段は、前記第２の装置で選択された台紙情報に該第２の装置で作成され送信先に送信していない付箋情報の関連付けを行う出力手段として機能させるための請求項１に記載の台紙管理プログラム。
【請求項１３】
表示部を有する第１の装置及び第２の装置において表示される仮想の付箋に対応する付箋情報と、前記第１の装置及び前記第２の装置に前記付箋の背景として表示される仮想の台紙に対応する台紙情報であって、前記付箋情報が関連付けられる台紙情報とを用いて、
前記第１の装置において複数の前記台紙情報から選択された台紙情報に対応する仮想の台紙を前記第１の装置の表示部に出力し、前記第２の装置において付箋情報を送信する送信先の台紙情報として選択された台紙情報に対応する仮想の台紙を前記第２の装置に出力する出力手段とを有する台紙管理装置。
【請求項１４】
表示部を有する第１の装置及び第２の装置において表示される仮想の付箋に対応する付箋情報と、前記第１の装置及び前記第２の装置に前記付箋の背景として表示される仮想の台紙に対応する台紙情報であって、前記付箋情報が関連付けられる台紙情報とを用いて、
前記第２の装置で表示されている仮想の台紙が、前記第１の装置で表示されている場合又は優先すべきものである場合に、修飾表示とともに当該仮想の台紙を前記表示部に表示する表示手段として、前記第２の装置のコンピュータを機能させるための台紙管理プログラム。
【発明の詳細な説明】
【技術分野】
【０００１】
本発明は、台紙管理プログラム及び台紙管理装置に関する。
【背景技術】
【０００２】
会議参加者が共通に視認することができる大型の表示装置に台紙と共有領域を表示する電子会議システムが知られている（例えば、特許文献１参照）。
【０００３】
特許文献１の電子会議システムは、第１の装置に大型の表示装置と第２の装置とが接続される。第１の装置は、第２の装置から受信したオブジェクトを共有領域（複数面にわたってもよい）に表示し、会議の進行役の操作に従って、共有領域に表示されているオブジェクトを、台紙に移動／コピーするよう構成されており、第２の装置から受信して共有領域に表示されているオブジェクトを台紙のどの面のどの位置に移動／コピーするかは、進行役にゆだねられている。
【先行技術文献】
【特許文献】
【０００４】
【特許文献１】特開２００３−１１１０４２号公報
【発明の概要】
【発明が解決しようとする課題】
【０００５】
本発明の目的は、第１の装置で複数の台紙情報を切り換えて表示しながら議論を進める会議で、送信先の台紙情報を指定して第２の装置から第１の装置に付箋情報を送信する場合でも、付箋情報の送信先と第１の装置に表示されている台紙情報との関係が不明とならない台紙管理プログラム及び台紙管理装置を提供することにある。
【課題を解決するための手段】
【０００６】
［１］コンピュータを、
表示部を有する第１の装置及び第２の装置において表示される仮想の付箋に対応する付箋情報と、前記第１の装置及び前記第２の装置に前記付箋の背景として表示される仮想の台紙に対応する台紙情報であって、前記付箋情報が関連付けられる台紙情報とを用いて、
前記第１の装置において複数の前記台紙情報から選択された台紙情報に対応する仮想の台紙を前記第１の装置の表示部に出力し、前記第２の装置において付箋情報を送信する送信先の台紙情報として選択された台紙情報に対応する仮想の台紙を前記第２の装置に出力する出力手段として機能させるための台紙管理プログラム。
［２］前記出力手段を、前記第２の装置において前記送信先として選択された台紙情報に対応する仮想の台紙が前記第１の装置で非表示の場合に、表示中の場合とは異なる修飾表示とともに前記仮想の台紙を前記第２の装置に出力する出力手段としてさらに機能させるための［１］に記載の台紙管理プログラム。
［３］前記出力手段を、優先されるべき台紙情報に対応する仮想の台紙を、優先されていない台紙情報に対応する仮想の台紙とは異なる修飾表示とともに、当該選択された仮想の台紙を前記第１の装置又は前記第２の装置に出力する出力手段としてさらに機能させるための［１］又は［２］に記載の台紙管理プログラム。
［４］前記出力手段を、前記第１の装置において表示されている仮想の台紙が優先されるべきものである場合、第１の修飾表示とともに前記仮想の台紙を前記第１の装置に出力する出力手段としてさらに機能させるための［１］−［３］のいずれかに記載の台紙管理プログラム。
［５］前記出力手段を、前記第１の装置において表示されている仮想の台紙が優先されるべきものでない場合、前記第１の装置において強調度が前記第１の修飾表示と異なる第２の修飾表示とともに前記仮想の台紙を前記第１の装置に出力する出力手段としてさらに機能させるための［１］−［４］のいずれかに記載の台紙管理プログラム。
［６］前記出力手段を、前記第２の装置において前記送信先として選択された台紙情報に対応する仮想の台紙が前記第１の装置で表示中かつ前記台紙情報が優先されるべきものとして選択されている場合、前記第１の修飾表示とともに当該仮想の台紙を前記第２の装置に出力する出力手段としてさらに機能させるための［１］−［５］のいずれかに記載の台紙管理プログラム。
［７］前記出力手段を、前記第２の装置において前記送信先として選択された台紙情報に対応する仮想の台紙が前記第１の装置で表示中かつ前記台紙情報が優先されるべきものでない場合、又は前記第１の装置で非表示かつ前記台紙情報が優先されるべきものである場合、強調度が前記第１の修飾表示と異なる第２の修飾表示とともに当該仮想の台紙を前記第２の装置に出力する出力手段としてさらに機能させるための［１］−［６］のいずれかに記載の台紙管理プログラム。
［８］前記出力手段を、前記第２の装置において前記送信先として選択された台紙情報に対応する仮想の台紙が、前記第１の装置で非表示かつ前記台紙情報が優先されるべきものでない場合、前記第１の修飾表示との強調度の差が、前記第２の修飾表示よりも大きい第３の修飾表示とともに当該仮想の台紙を前記第２の装置に出力する出力手段としてさらに機能させるための［１］−［７］のいずれかに記載の台紙管理プログラム。
【０００７】
［９］前記出力手段は、前記第２の装置において前記送信先として選択された台紙情報に対応する仮想の台紙が前記第１の装置で表示中かつ前記台紙情報が優先されるべきものである場合、第１の修飾表示とともに当該台紙情報に対する操作用画像を前記第２の装置に出力する出力手段としてさらに機能させるための［１］−［８］のいずれかに記載の台紙管理プログラム。
［１０］前記出力手段は、前記第２の装置において前記送信先として選択された台紙情報に対応する仮想の台紙が前記第１の装置で表示中かつ前記台紙情報が優先されるべきものでない場合、又は前記第１の装置で非表示かつ前記台紙情報が優先されるべきものである場合、強調度が前記第１の修飾表示と異なる第２の修飾表示とともに前記台紙情報に対する前記操作用画像を前記第２の装置に出力する出力手段としてさらに機能させるための［１］−［９］のいずれかに記載の台紙管理プログラム。
【０００８】
［１１］前記出力手段は、前記第２の装置において前記送信先として選択された台紙情報に対応する仮想の台紙が前記第１の装置で非表示かつ前記台紙情報が優先されるべきものでない場合、前記第１の修飾表示との強調度の差が、前記第２の修飾表示よりも大きい第３の修飾表示で前記台紙情報に対する前記操作用画像を前記第２の装置に出力する出力手段としてさらに機能させるための［１］−［１０］のいずれかに記載の台紙管理プログラム。
［１２］前記出力手段は、前記第２の装置で選択された台紙情報に該第２の装置で作成され送信先に送信していない付箋情報の関連付けを行う出力手段として機能させるための［１］に記載の台紙管理プログラム。
【０００９】
［１３］表示部を有する第１の装置及び第２の装置において表示される仮想の付箋に対応する付箋情報と、前記第１の装置及び前記第２の装置に前記付箋の背景として表示される仮想の台紙に対応する台紙情報であって、前記付箋情報が関連付けられる台紙情報とを用いて、
前記第１の装置において複数の前記台紙情報から選択された台紙情報に対応する仮想の台紙を前記第１の装置の表示部に出力し、前記第２の装置において付箋情報を送信する送信先の台紙情報として選択された台紙情報に対応する仮想の台紙を前記第２の装置に出力する出力手段とを有する台紙管理装置。
［１４］表示部を有する第１の装置及び第２の装置において表示される仮想の付箋に対応する付箋情報と、前記第１の装置及び前記第２の装置に前記付箋の背景として表示される仮想の台紙に対応する台紙情報であって、前記付箋情報が関連付けられる台紙情報とを用いて、
前記第２の装置で表示されている仮想の台紙が、前記第１の装置で表示されている場合又は優先すべきものである場合に、修飾表示とともに当該仮想の台紙を表示する表示手段として、前記第２の装置のコンピュータを機能させるための台紙管理プログラム。
【発明の効果】
【００１０】
請求項１−８、１３、１４に係る発明によれば、第１の装置で表示する台紙情報を切り替えながら議論を進める会議において、送信先の台紙情報を指定して第２の装置から第１の装置に付箋情報を送信する場合でも、付箋情報の送信先の台紙情報と第１の装置に表示されている台紙情報との対応関係を把握することができる。
【００１１】
請求項９、１０に係る発明によれば、第２の装置の操作用画像において、第１の装置に表示された情報と、第２の装置に表示された情報との対応関係を表示することができる。
【００１２】
請求項１１に係る発明によれば、第２の装置の操作用画像において、第１の装置に表示された情報と、第２の装置に表示された情報との対応関係を請求項４、５に比べて詳細に表示することができる。
請求項１２に係る発明によれば、第２の装置で選択された台紙情報に第２の装置で作成され送信先に送信していない付箋情報の関連付けを行うことができる。
【図面の簡単な説明】
【００１３】
【図１】図１は、本発明の実施の形態に係る台紙管理システムの構成例を示す概略図である。
【図２】図２は、台紙管理サーバの構成例を示すブロック図である。
【図３】図３は、端末情報の構成例を示す概略図である。
【図４】図４は、台紙情報の構成例を示す概略図である。
【図５】図５は、電子ボード台紙情報の構成例を示す概略図である。
【図６】図６は、情報端末台紙情報の構成例を示す概略図である。
【図７】図７（ａ）及び（ｂ）は、台紙管理サーバの動作例を説明するための状態遷移図である。
【図８Ａ】図８Ａ（ａ）〜（ｅ）は、台紙管理サーバの動作例を説明するための概略図である。
【図８Ｂ】図８Ｂ（ｆ）及び（ｇ）は、台紙管理サーバの動作例を説明するための概略図である。
【図９】図９（ａ）〜（ｄ）は、台紙管理サーバの動作例を説明するための概略図である。
【図１０】図１０（ａ）〜（ｃ）は、台紙管理サーバの動作例を説明するための概略図である。
【図１１】図１１（ａ）及び（ｂ）は、台紙管理サーバの動作例を説明するための概略図である。
【図１２】図１２は、台紙管理サーバ及び電子ボードの動作例を説明するためのフローチャートである。
【図１３】図１３は、台紙管理サーバ及び情報端末の動作例を説明するためのフローチャートである。
【発明を実施するための形態】
【００１４】
（台紙管理システムの構成）
図１は、本発明の実施の形態に係る台紙管理システムの構成例を示す概略図である。
【００１５】
台紙管理システム６は、ブレインストーミングと呼ばれる会議方式等において使用されるものであり、仮想の付箋等を仮想の台紙上に貼り付けて管理する台紙管理サーバ１と、台紙管理サーバ１の管理する情報に基づいて仮想の付箋及び仮想の台紙等の画像を表示するとともに操作可能な第１の装置としての電子ボード２と、第２の装置としての情報端末３ａ〜３ｃとを有し、各装置はネットワーク５を介して通信可能に接続される。
【００１６】
台紙管理システム６の台紙管理サーバ１は、上記構成によって複数の仮想の台紙の情報（以下、「台紙情報」という。）を管理し、利用者４ａ〜４ｄが情報端末３ａ〜３ｃ及び電子ボード２を用いて仮想の付箋を作成すると、当該仮想の付箋の情報（以下、「付箋情報」という。）を受信し、当該付箋情報を予め指定した台紙上に貼り付けるものである。台紙上に貼り付けられた付箋は、電子ボード２上において自由にレイアウトが可能である。
【００１７】
また、電子ボード２は、一般的に大画面の表示部を有し、ホストの役割を果たすものであり、情報端末３ａ〜３ｃは、一般的に電子ボード２に比べて小さい画面を有し、電子ボード２に対するクライアントとなるものである。
【００１８】
また、情報端末３ａ〜３ｃ及び電子ボード２は、複数の仮想の台紙のいずれも表示することができ、表示した台紙とともに、台紙に貼り付けられた付箋を表示する。電子ボード２は、会議のまとめ役（ブレインストーミングのファシリテータ、例えば、利用者４ｄ。進行役とも言われる）によって操作されることが多い。情報端末３ａ〜３ｃは、会議の参加者（利用者４ａ〜４ｃ）によって操作されることが多い。
【００１９】
なお、ここで台紙に付箋を「貼付け」るとは（又は「送信」するとは）、指定された台紙情報に付箋情報を関連付けることをいう。なお、台紙情報に付箋情報以外の情報、例えば、文書情報や画像情報等を貼り付けられる構成としてもよい。
【００２０】
図２は、台紙管理装置の構成例を示すブロック図である。
【００２１】
この台紙管理サーバ１は、ＣＰＵ（Ｃｅｎｔｒａｌ  Ｐｒｏｃｅｓｓｉｎｇ  Ｕｎｉｔ）等から構成され各部を制御するとともに各種のプログラムを実行する制御部１０と、ＨＤＤ（Ｈａｒｄ  Ｄｉｓｋ  Ｄｒｉｖｅ）やフラッシュメモリ等の記憶媒体から構成され情報を記憶する記憶部１１と、外部と通信する通信部１２とを有する。なお、台紙管理サーバ１は、例えば、サーバ等のコンピュータであり、ＰＤＡ（Ｐｅｒｓｏｎａｌ  Ｄｉｇｉｔａｌ  Ａｓｓｉｓｔａｎｔ）又は携帯電話機等でもよい。また、さらに、文や図形等を表示する液晶ディスプレイ等の表示部、操作入力用のキーボードやマウス等の操作部を有する構成であってもよい。
【００２２】
制御部１０は、後述する台紙管理プログラム１１０を実行することで、端末情報取得手段１００、台紙情報表示手段１０１、付箋情報表示手段１０２、操作用画像表示手段１０３、電子ボード台紙情報更新手段１０４、情報端末台紙情報更新手段１０５及び表示制御手段１０６等として機能する。また、制御部１０は、各手段１００〜１０６等の機能以外にも、台紙及び付箋等の表示、操作、編集等の手段として機能するものとする。
【００２３】
端末情報取得手段１００は、端末としての電子ボード２及び情報端末３ａ〜３ｃを識別するための端末情報１１１を記憶部１１から取得する。
【００２４】
台紙情報表示手段１０１は、電子ボード２及び情報端末３ａ〜３ｃから要求された台紙情報１１２を、電子ボード２及び情報端末３ａ〜３ｃが表示可能な形式にして出力する。
【００２５】
付箋情報表示手段１０２は、電子ボード２及び情報端末３ａ〜３ｃから要求された付箋情報１１３を、電子ボード２及び情報端末３ａ〜３ｃが表示可能な形式にして出力する。
【００２６】
操作用画像表示手段１０３は、操作用画像として台紙を切り替えるためのボタンや決定するためのボタン画像等を表示する。
【００２７】
電子ボード台紙情報更新手段１０４は、電子ボード２において表示される台紙の状態等を定義する情報である電子ボード台紙情報１１４の更新を行う。
【００２８】
情報端末台紙情報更新手段１０５は、情報端末３ａ〜３ｃの表示中の台紙と付箋を送信する台紙とを定義した情報である情報端末台紙情報１１５の更新を行う。
【００２９】
表示制御手段１０６は、電子ボード２の表示については、電子ボード台紙情報１１４の内容に基づいて電子ボード２上に表示される画像を変更する。また、表示制御手段１０６は、情報端末３ａ〜３ｃの表示については、情報端末台紙情報１１５の内容及び電子ボード台紙情報１１４の内容に基づいて情報端末３ａ〜３ｃ上に表示される画像を変更する。なお、表示の変更内容は後述する。
【００３０】
記憶部１１は、制御部１０を上述した各手段１００〜１０４として動作させる台紙管理プログラム１１０、電子ボード２及び情報端末３ａ〜３ｃを識別するための端末情報１１１、仮想の台紙の情報である台紙情報１１２、仮想の付箋の情報である付箋情報１１３、電子ボード２において表示される（又は非表示の）台紙の状態等を定義する情報である電子ボード台紙情報１１４及び情報端末３ａ〜３ｃにおいて表示中の台紙と付箋を送信する台紙とを定義した情報である情報端末台紙情報１１５等を記憶する。
【００３１】
図３は、端末情報１１１の構成例を示す概略図である。
【００３２】
端末情報１１１は、電子ボード２及び情報端末３ａ〜３ｃ等の端末の情報であり、端末が設置されている会議室の識別子である会議室ＩＤ欄と、端末の識別子である端末ＩＤ欄と、ＩＰアドレス等で記載された端末識別子欄とを有する。
【００３３】
図４は、台紙情報１１２の構成例を示す概略図である。
【００３４】
台紙情報１１２は、仮想の台紙の情報であり、台紙の識別子である台紙ＩＤ欄と、台紙が作成された端末であるオーナー端末ＩＤ欄と、台紙の色である色欄とを有する。なお、台紙の色は、後述する台紙の外枠の線の色として用いられ、当該台紙の外枠の線の色は第２の表示属性に対応する。
【００３５】
なお、色欄の色は、利用者によって選択されるものであってもよいし、台紙の作成時に予め定めた条件で選択されるものであってもよいが、同時に使用される台紙間において同一の色が用いられないようにする。
【００３６】
図５は、電子ボード台紙情報１１４の構成例を示す概略図である。
【００３７】
電子ボード台紙情報１１４は、電子ボード２で表示される台紙の情報であり、電子ボード２の識別子である端末ＩＤ欄と、電子ボード２において表示又は非表示となっている台紙の識別子である台紙ＩＤ欄と、後述する台紙の状態を示す台紙状態欄と、台紙が表示されている電子ボード２の画面の識別子である画面ＩＤ欄と、台紙が最後に表示された時刻である最終表示時間欄とを有する。
【００３８】
図６は、情報端末台紙情報１１５の構成例を示す概略図である。
【００３９】
情報端末台紙情報１１５は、情報端末３ａ〜３ｃで表示される台紙の情報であり、情報端末３ａ〜３ｃの識別子である端末ＩＤ欄と、電子ボード２で表示中の台紙の識別子である電子ボード表示中台紙ＩＤ欄と、情報端末３ａ〜３ｃで作成された付箋を送信する（関連付ける）台紙の識別子である送信先台紙ＩＤ欄とを有する。
【００４０】
（台紙管理装置の動作）
以下に、台紙管理サーバ１の動作を図１〜１３を参照しつつ、（１）電子ボードの動作、（２）情報端末の動作、（３）電子ボード及び情報端末の表示動作の具体例、に分けて説明する。
【００４１】
（１）電子ボードの動作
まず、図５において述べた電子ボード２における台紙の状態について説明する。
【００４２】
図７（ａ）及び（ｂ）は、台紙管理サーバ１の動作例を説明するための状態遷移図である。
【００４３】
図７（ａ）に示すように、電子ボード２において表示される台紙には状態Ｓ１〜Ｓ４があり、情報端末３ａ〜３ｃの付箋送信台紙の状態Ｐ１との関係で、情報端末３ａ〜３ｃにおいて作成した付箋を台紙へ送信（貼付け）できるか否かが決定される。
【００４４】
まず、台紙の状態には、優先されるべき台紙情報であって付箋を受け付ける「受付優先」状態と、「受付優先」状態よりも優先度の低い台紙情報であって付箋を受け付ける「受付非優先」状態とがある。なお、優先されるべき台紙情報は、例えば、当該台紙情報が会議の進行に応じて議論の中心となっている台紙情報が、会議のまとめ役（ファシリテータ、例えば、利用者４ｄ）によって設定される。
【００４５】
また、台紙が表示されている「表示」状態と、台紙が表示されていない「非表示」状態とがある。台紙の状態はこれらの組み合わせであり、状態Ｓ１にある台紙が「Ｓ１（受付優先台紙・表示中）」、状態Ｓ２にある台紙が「Ｓ２（受付非優先台紙・表示中）」、状態Ｓ３にある台紙が「Ｓ３（受付優先台紙・非表示）」、状態Ｓ４にある台紙が「Ｓ４（非表示台紙）」である。なお、「表示」状態には、電子ボード２の一の画面に複数の台紙が表示されている場合や、電子ボード２が複数の画面を有し、複数の台紙が表示されている場合も含む。
【００４６】
各状態Ｓ１〜Ｓ４間の遷移は、以下のとおりである。
【００４７】
まず、状態Ｓ１からＳ２への遷移については、別の台紙の受付状態を受付非優先から受付優先に設定する操作がなされた場合に遷移する。また、状態Ｓ２からＳ１への遷移については、台紙を「Ｓ１（受付優先台紙・表示中）」に設定する操作がなされた場合に遷移する。
【００４８】
状態Ｓ１からＳ３への遷移については、台紙上で別文書等を表示する操作がなされた場合に遷移する。また、状態Ｓ３からＳ１への遷移について、台紙上で表示された別文書を閉じる操作がなされた場合に遷移する。
【００４９】
状態Ｓ１からＳ４への遷移については、台紙を閉じる操作がなされた場合に遷移する。
【００５０】
状態Ｓ３からＳ４への遷移については、別の台紙の受付状態を受付非優先から受付優先に設定する操作がなされた場合に遷移する。
【００５１】
また、状態Ｓ２からＳ４への遷移については、状態が受付非優先台紙の台紙上で別文書等を表示する操作がなされた場合に遷移する。また、状態Ｓ４からＳ２への遷移について、状態が受付非優先台紙の台紙上で表示された別文書を閉じる操作がなされた場合に遷移する。
【００５２】
また、図７（ｂ）に示すように、上記した各状態Ｓ１〜Ｓ４について台紙は、付箋の送信の受付可否（貼付け可否）を変更する。状態Ｓ１の場合、台紙は電子ボード２に表示され、情報端末３ａ〜３ｃからの付箋の送信を優先して受け付ける。また、状態Ｓ２の場合も、台紙は電子ボード２に表示され、「受付非優先」ではあるものの、情報端末３ａ〜３ｃからの付箋の送信を受け付ける。
【００５３】
状態Ｓ３の場合、台紙は電子ボード２に表示されないものの、「受付優先」であるため情報端末３ａ〜３ｃからの付箋の送信を優先して受け付ける。また、状態Ｓ４の場合、台紙は電子ボード２に表示されず、かつ、情報端末３ａ〜３ｃからの付箋の送信を受け付ける優先順位が状態Ｓ１〜Ｓ４中で最も低い。
【００５４】
上記の各状態Ｓ１〜Ｓ４を踏まえて、電子ボード２の動作について説明する。
【００５５】
図１２は、台紙管理サーバ１及び電子ボード２の動作例を説明するためのフローチャートである。
【００５６】
まず、電子ボード２において台紙を表示して各種操作が行われるが（Ｓ１２）、最初の台紙が使用される場合（Ｓ１０）、台紙管理サーバ１の台紙情報表示手段１０１は、台紙情報１１２に新たな台紙を登録するとともに台紙の色を発行する（Ｓ１１）。なお、このとき、新たな台紙は一時台紙として台紙状態欄が「Ｓ２（受付非優先台紙・表示中）」とされる。
【００５７】
次に、電子ボード２において各種操作がなされる（Ｓ１２）。
【００５８】
操作の一例として、表示している台紙を受付開始状態に設定する操作がなされた場合（Ｓ１３）、電子ボード台紙情報更新手段１０４は、台紙情報１１２のうち現在表示されている台紙の台紙状態欄を「Ｓ１（受付優先台紙・表示中）」に更新して設定するとともに、第１の修飾表示とともに台紙を表示させる（たとえば、線種が実線の外枠とともに台紙を表示させる）（Ｓ１４）。次に、更新前まで台紙状態欄が「Ｓ１（受付優先台紙・表示中）」であった台紙の台紙状態欄を「Ｓ４（非表示台紙）」又は「Ｓ２（受付非優先台紙・表示中）」に更新して設定する（Ｓ１５）。なお、電子ボード２が複数の表示部を有している場合は、表示部の数を「Ｓ１（受付優先台紙・表示中）」および「Ｓ２（受付非優先台紙・表示中）」の台紙の数の上限とし、当該上限を越えた場合について予め定めた条件により選択される台紙を「Ｓ３（受付優先台紙・非表示）」又は「Ｓ４（非表示台紙）」に更新して設定する。
【００５９】
なお、表示制御手段１０６は、台紙状態欄が「Ｓ１（受付優先台紙・表示中）」から「Ｓ２（受付非優先台紙・表示中）」になった台紙がある場合、台紙の修飾表示を第１の修飾表示から第２の修飾表示に変更する（Ｓ１６）。第２の修飾表示は強調度を第１の修飾表示と異ならせたものである。たとえば、第１の表示属性を線種とし、第１の修飾表示を実線とした場合、第２の修飾表示を、実線よりも強調度の低い破線（破線１）に変更する。（図８Ａ、図８Ｂ、図９、図１０参照。）ここで、既述したように第２の表示属性を枠の線の色とし、第２の表示属性は台紙情報１１２の色欄の記載によって決定される。
【００６０】
また、操作の他の例として、表示中の台紙にアイコン表示されている文書情報やコントロールパネル等から文書情報を開いて表示する操作がなされた場合（Ｓ１７）、電子ボード台紙情報更新手段１０４は、台紙情報１１２のうち文書情報の表示によって非表示になった台紙の台紙状態欄を「Ｓ１（受付優先台紙・表示中）」から「Ｓ３（受付優先台紙・非表示中）」に更新して設定する（Ｓ１８）。
【００６１】
なお、表示制御手段１０６は、台紙状態欄が「Ｓ３（受付優先台紙・非表示）」の台紙の色を台紙情報１１２から取得して、表示された文書情報の外枠に重ねて破線１で描画するように変更する（Ｓ１９）（図１０（ｂ）参照。）。
【００６２】
また、操作の他の例として、表示中の台紙にアイコン表示されている別の台紙を表示する操作がなされた場合（Ｓ２０）、電子ボード台紙情報更新手段１０４は、現在表示している台紙の台紙状態欄を「Ｓ２（受付非優先台紙・表示中）」に、台紙状態欄が「Ｓ１（受付優先台紙・表示中）」だった台紙の台紙状態欄を「Ｓ３（受付優先台紙・非表示）」に変更する（Ｓ２１）。
【００６３】
なお、表示制御手段１０６は、台紙状態欄が「Ｓ２（受付非優先台紙・表示中）」の台紙の色を取得して外枠を破線１で描画するように変更する（Ｓ２２）（図８Ａ（ｂ）参照。）。
【００６４】
（２）情報端末の動作
図１３は、台紙管理サーバ１及び情報端末３ａ〜３ｃの動作例を説明するためのフローチャートである。
【００６５】
まず、端末情報取得手段１００は、電子ボード台紙情報１１４を参照し、情報端末３ａ〜３ｃと同一の会議室に設置された電子ボード２で使用される一又は複数の台紙の使用状態を取得する（Ｐ１０）。
【００６６】
次に、表示制御手段１０６は、台紙のうち特定の情報端末、例えば、情報端末３ａの情報端末台紙情報１１５を参照し、送信先台紙ＩＤ欄の「台紙１」の電子ボード２での状態を参照する（Ｐ１１）。
【００６７】
また、ステップＰ１１で台紙状態欄がＳ１であった場合、すなわち「受付優先台紙」であった場合、表示制御手段１０６は、情報端末３ａにおいて第１の修飾表示とともに台紙を表示させる（Ｐ１４）（図８Ａ（ａ）参照。）。
【００６８】
ステップＰ１１で台紙状態欄がＳ３またはＳ２であった場合、すなわち、「受付優先台紙・非表示」であった場合、または「受付非優先台紙・表示中」であった場合、表示制御手段１０６は、情報端末３ａにおいて、第２の修飾表示とともに台紙を表示させる。（Ｐ１２）（図８Ａ（ｂ）参照。）。
【００６９】
また、ステップＰ１１で台紙状態欄がＳ４であった場合、すなわち「非表示台紙」であった場合、表示制御手段１０６は、情報端末３ａにおいて、第３の修飾表示とともに台紙を表示させる。第３の修飾表示と第１の表示属性の強調度の差は、第１の修飾表示と第２の修飾表示の強調度の差よりも大きい。たとえば、第１の修飾表示として直線を用い、第２の修飾表示として第１の破線の外枠を用いる場合、第３の修飾表示として、第１の破線よりもさらに線の部分の少ない第２の破線を用いるとよい。（Ｐ１３）（図８Ａ（ｃ）参照。）。
【００７０】
次に、情報端末３ａ〜３ｃにおいて台紙の閲覧や台紙の操作等が行われると、ネットワーク５を介して台紙管理サーバ１が当該操作内容を受け付ける（Ｐ１５）。
【００７１】
情報端末３ａ〜３ｃにおいて行われる台紙の操作の一例として、電子ボード２の受付優先台紙と情報端末３ａ〜３ｃの送信先台紙を同期する操作がなされた場合、情報端末台紙情報更新手段１０５は、情報端末台紙情報１１５の送信先台紙ＩＤ欄の台紙を電子ボード台紙情報１１４において台紙状態欄が「Ｓ１（受付優先台紙・表示中）」又は「Ｓ３（受付優先台紙・非表示）」となっている台紙に同期する（Ｐ１６）（図８Ａ（ｄ）参照）。なお、この後、再びステップＰ１０〜Ｐ１４が繰り返されるため、破線１や破線２で表示されていた外枠は実線となる。
【００７２】
また、台紙の操作の他の例として、表示中の台紙にアイコン表示されている文書情報を開いて表示する操作がなされた場合（Ｐ１７）、表示制御手段１０６は、情報端末台紙情報１１５の送信先台紙ＩＤ欄の台紙を参照して、台紙の色を表示された文書情報の外枠に重ねて破線１で描画するように変更する（Ｐ１８）（図１０（ｃ）参照）。
【００７３】
また、台紙の操作の他の例として、表示中の台紙にアイコン表示されている別の台紙を表示する操作がなされた場合（Ｐ１９）、その台紙を情報端末の送信先台紙に変更することができる。操作用画像表示手段１０３は、「この台紙に送信先を変更」ボタンを表示し、情報端末台紙情報更新手段１０５は、情報端末台紙情報１１５の送信先台紙ＩＤ欄を表示中の台紙に更新するとともに、表示制御手段１０６は、情報端末３ａ〜３ｃで送信先台紙の外枠を変更する。線種は送信先台紙の電子ボード上での状態に応じて決定し、外枠の色を当該台紙の色に変更する（Ｐ２０）（図８Ｂ（ｆ）参照）。
【００７４】
また、台紙の操作の他の例として、情報端末３ａ〜３ｃ上で付箋を作成し、付箋送信画面に遷移した場合（Ｐ２１）、表示制御手段１０６は、台紙のうち特定の情報端末、例えば、情報端末３ａの情報端末台紙情報１１５を参照し、送信先台紙ＩＤ欄の「台紙１」の電子ボード２での台紙状態欄を参照する（Ｐ２２）。
【００７５】
ステップＰ２２で台紙状態欄が「Ｓ３（受付優先台紙・非表示）」又は「Ｓ２（受付非優先台紙・表示中）」であった場合、表示制御手段１０６は、情報端末３ａで表示される送信ボタンの外枠を破線１で表示する（第２の修飾表示）（Ｐ２３）（図８Ａ（ｅ）参照）。
【００７６】
また、ステップＰ２２で台紙状態欄が「Ｓ４（非表示台紙）」であった場合、表示制御手段１０６は、情報端末３ａで表示される送信ボタンの外枠を破線１と異なる破線２で表示する（第３の修飾表示）（Ｐ２４）。
【００７７】
また、ステップＰ２２で台紙状態欄が「Ｓ１（受付優先台紙・表示中）」であった場合、表示制御手段１０６は、情報端末３ａにおいて表示される送信ボタンの外枠を実線で表示する（第１の修飾表示）（Ｐ２５）。
【００７８】
次に、上記ステップＰ２３〜２５のいずれかにより表示された送信ボタンにおいて送信決定操作がなされると、付箋を送信先台紙に送信する（Ｐ２６）。
【００７９】
（３）電子ボード及び情報端末の表示動作の具体例
以下、これまでに説明した電子ボード２及び情報端末３ａ〜３ｃの動作内容に伴う電子ボード２及び情報端末３ａ〜３ｃの表示の具体例について説明する。
【００８０】
図８Ａ（ａ）〜（ｅ）は、台紙管理サーバ１の動作例を説明するための概略図である。また、図８Ｂ（ｆ）及び（ｇ）は、台紙管理サーバ１の動作例を説明するための概略図である。
【００８１】
図８Ａ（ａ）に示すように、電子ボード２に表示されている「台紙１」の台紙状態欄が図５に示す電子ボード台紙情報１１４のように「Ｓ１（受付優先台紙・表示中）」である場合、表示制御手段１０６により「台紙１」の外枠が「実線」で示され（第１の修飾表示）、また、外枠が「台紙１」の色「赤」で表示される。
【００８２】
また、情報端末台紙情報１１５の送信先台紙ＩＤ欄の「台紙１」は電子ボード２で台紙状態が「Ｓ１（受付優先台紙・表示中）」であるため、表示制御手段１０６により情報端末３ａに示されている「台紙１」の外枠が「実線」で示され（第１の修飾表示）、また外枠が「台紙１」の色「赤」で表示される。
【００８３】
次に、図８Ａ（ａ）に示す電子ボード２に示されているアイコン２０から、図８Ａ（ｂ）に示すように、「台紙２」の表示に遷移した場合に、電子ボード２に表示されている「台紙２」の台紙状態欄が「Ｓ２（受付非優先台紙・表示中）」である場合は、表示制御手段１０６により「台紙２」の外枠が「破線１」で示され（第２の修飾表示）、また、外枠が「台紙２」の色「青」で表示される。
【００８４】
また、情報端末台紙情報１１５の送信先台紙ＩＤ欄の「台紙１」は電子ボード２で台紙状態が「Ｓ３（受付優先台紙・非表示）」となるため、表示制御手段１０６により情報端末３ａに示されている「台紙１」の外枠が「破線１」で示され（第２の修飾表示）、また、外枠が「台紙１」の色「赤」で表示される。
【００８５】
次に、図８Ａ（ｃ）に示すように、電子ボード２に表示されている「台紙２」において「付箋受付開始」ボタン２１が操作されることで、「台紙２」の台紙状態欄が「Ｓ２（受付非優先台紙・表示中）」から「Ｓ１（受付優先台紙・表示中）」に変わった場合、表示制御手段１０６により「台紙２」の外枠が「実線」で示され（第１の修飾表示）、また、外枠が「台紙２」の色「青」で表示される。
【００８６】
また、情報端末台紙情報１１５の送信先台紙ＩＤ欄の「台紙１」は電子ボード２で台紙状態が「Ｓ４（非表示台紙）」となるため、表示制御手段１０６により情報端末３ａに示されている「台紙１」の外枠が「破線１」に比べてさらに粗い「破線２」で示され（第３の修飾表示）、また、外枠が「台紙１」の色「赤」で表示される。
【００８７】
ここで、図８Ａ（ｄ）に示すように、情報端末３ａにおいて表示される「同期」ボタン３１を押すことにより、情報端末台紙情報更新手段１０５は、情報端末台紙情報１１５の送信先台紙ＩＤ欄を電子ボード台紙情報１１４の台紙状態欄が「Ｓ１（受付優先台紙・表示中）」の台紙に同期する。表示制御手段１０６は、情報端末３ａにおいて表示される台紙を電子ボード２において表示中の台紙である「台紙２」に変更し、その外枠が「実線」で示され（第１の修飾表示）、また、外枠が「台紙２」の色「青」で表示される。
【００８８】
また、図８Ａ（ｅ）に示すように、情報端末３ａにおいて表示される付箋送信画面において、「送信」ボタンの外枠の色を付箋送信先台紙の色に設定し、線種を付箋送信先台紙の電子ボード上での状態に従って設定する。例えば、情報端末台紙情報１１５の送信先台紙ＩＤ欄が「台紙１」であり、電子ボード台紙情報１１４において「台紙１」の台紙状態欄が「Ｓ２（受付非優先台紙・表示中）」であった場合、表示制御手段１０６により「送信」ボタン２１が「台紙１」の色で示され、かつ、「破線２」で示される。また、付箋送信画面においても「同期」ボタン３３が用意され、「同期」ボタン３３を押すことにより情報端末台紙情報１１５の送信先台紙ＩＤ欄を電子ボード台紙情報１１４の台紙状態欄が「Ｓ１（受付優先台紙・表示中）」の台紙に同期される。その結果、情報端末３ａに示されている「送信」ボタン３４の外枠が「実線」で示され（第１の修飾表示）、また、外枠が「台紙２」の色「青」で表示される。
【００８９】
また、図８Ｂ（ｆ）に示すように、情報端末３ａにおいて「台紙３」が表示されている状態において「この台紙へ送信先を変更」ボタン３５を押すことにより、情報端末台紙情報更新手段１０５が情報端末３ａにおいて表示される台紙を情報端末台紙情報１１５の送信先台紙ＩＤ欄の台紙に同期するようにしてもよい。
【００９０】
また、図８Ｂ（ｇ）に示すように、情報端末３ａにおいて表示される「同期」ボタン３１を押すことにより、表示制御手段１０６は、電子ボード２で表示された台紙の履歴３９を表示し、情報端末３ａにおいて表示される台紙を履歴３９から選択された台紙に同期するとともに、情報端末台紙情報更新手段１０５は、情報端末台紙情報１１５の送信先台紙ＩＤ欄を当該選択された台紙に同期する。その結果、表示制御手段１０６により情報端末３ａに示されている「台紙２」の外枠が実線で示され（第１の修飾表示）、また、外枠が「台紙２」の色「青」で表示される。
【００９１】
図９（ａ）〜（ｄ）は、台紙管理サーバ１の動作例を説明するための概略図である。
【００９２】
図９（ａ）に示すように、電子ボード２に「台紙１」が表示されている状態において、「台紙のブランチ」ボタン２２を操作することにより、図９（ｂ）に示すように「台紙１」上に「台紙２」のアイコン２３が作成される。
【００９３】
また、電子ボード２においても図９（ｂ）に示すように「台紙１」上に「台紙２」のアイコン３６が作成される。ここで、情報端末３ａにおいて、「台紙２」のアイコン３６が選択されて遷移する操作がなされると、図９（ｃ）に示すように、情報端末３ａに「台紙２」が表示される。
【００９４】
図９（ｄ）に示すように、上記した同様の操作により、電子ボード２の「台紙１」上に「台紙３」のアイコン２４がさらに作成された後、情報端末３ｂにおいて「台紙３」のアイコン（図示せず）が選択されて遷移する操作がなされると、表示制御手段１０６により情報端末３ｂにおいて「台紙３」が表示される。
【００９５】
ここで、情報端末３ａ及び３ｂにおいてそれぞれ「台紙２」及び「台紙３」が表示されている状態において「この台紙に送信先を変更」ボタン３７及び３８を押すことにより、情報端末台紙情報更新手段１０５は、情報端末３ａ及び３ｂにおいて表示される台紙をそれぞれ情報端末台紙情報１１５の送信先台紙ＩＤ欄の台紙に同期するようにしてもよい。
【００９６】
図１０（ａ）〜（ｃ）は、台紙管理サーバ１の動作例を説明するための概略図である。
【００９７】
図１０（ａ）に示すように、電子ボード２に「台紙１」が表示されている状態において、「文書１」のアイコン２５を作成して貼り付けることができる。ここで、電子ボード２において「文書１」のアイコン２５が選択されて開く操作がなされると、図１０（ｂ）に示すように、電子ボード２に「文書１」が「台紙１」上に重ねて表示される。なお、「文書１」は一時的な表示であるとして、表示制御手段１０６により外枠は破線（第２の修飾表示）で示され、外枠の色は「台紙１」の色「赤」が表示される。また、「文書１」の表示上には「戻る」ボタン２６が表示され、「戻る」ボタン２６を操作することで図１０（ａ）に示す「台紙１」の表示に戻ることができる。
【００９８】
また、情報端末３ａに表示される「台紙１」は、電子ボード２で台紙状態が「Ｓ３（受付優先台紙・非表示）」であるため、表示制御手段１０６により外枠が「破線1」で示される。
【００９９】
また、図１０（ａ）に示すように、情報端末３ａに「台紙１」が表示されている状態において、「文書１」のアイコン４０を作成して貼り付けることができる。ここで、情報端末３ａにおいて「文書１」のアイコン４０が選択されて開く操作がなされると、図１０（ｃ）に示すように、情報端末３ａに「文書１」が「台紙１」上に重ねて表示される。なお、、「台紙１」は、電子ボード上で台紙状態が「Ｓ１（受付優先台紙・表示中）」であるため、「実線」（第１の修飾表示）で表示され、外枠の色は「台紙１」の色「赤」が表示される。また、「文書１」の表示上には「戻る」ボタン４１が表示され、「戻る」ボタン４１を操作することで図１０（ａ）に示す「台紙１」の表示に戻ることができる。
【０１００】
図１１（ａ）及び（ｂ）は、台紙管理サーバ１の動作例を説明するための概略図である。
【０１０１】
図１１（ａ）に示すように、情報端末３ａにおいて作成されたアイデアの記載された付箋３９０、３９１、３９２、…は送信せずに貯めておくことができ、各付箋３９０、３９１、３９２、…は、表示制御手段１０６により付箋が作成された時点での送信先台紙の色で表示され、現時点において台紙状態欄が「受付優先」である台紙及び電子ボード２に表示されている台紙との関係において、「実線」（第１の修飾表示）、「破線１」又は「破線２」（第２の修飾表示又は第３の修飾表示）によって表示される。
【０１０２】
図１１（ｂ）に示すように、情報端末３ａにおいて送信先台紙となっている台紙が既に存在しない場合、表示制御手段１０６により付箋送信画面の「送信」ボタン４０が送信先台紙の色で「×」の表示がなされ、送信不能であることを利用者に示す。なお、図８Ａ（ｅ）の場合と同様に「同期」ボタン４１により台紙状態が「受付優先」の台紙と送信先台紙とを同期することができる。
【０１０３】
（実施の形態の効果）
上記した実施の形態によると、電子ボード２の表示において、台紙の状態が「Ｓ１（受付優先台紙・表示中）」である場合、台紙の外枠を「実線」で表示し、台紙が「Ｓ２（受付非優先・表示中）」である場合、台紙の外枠を「破線１」で表示したため、電子ボード２において表示されている台紙が両状態のいずれであるかを利用者に表示することができる。
【０１０４】
また、情報端末３ａ〜３ｃの表示において、情報端末３ａ〜３ｃの送信先台紙の電子ボード上での状態がＳ１の場合、「実線」で、Ｓ２またはＳ３の場合「破線１」で、Ｓ４の場合は「破線２」で台紙の外枠を表示したため、情報端末３ａ〜３ｃにおいて付箋を送信する台紙が電子ボード２でどのような状態なのかを利用者に表示することができる。
【０１０５】
［他の実施の形態］
なお、本発明は、上記実施の形態に限定されず、本発明の要旨を逸脱しない範囲で種々な変形が可能である。台紙管理サーバ１の制御部１０において機能する端末情報取得手段１００、台紙情報表示手段１０１、付箋情報表示手段１０２、操作用画像表示手段１０３及び表示制御手段１０６等の一部又は全部を電子ボード２及び情報端末３ａ〜３ｃにおいて機能させるようにしてもよい。
【０１０６】
また、上記台紙管理プログラム１１０をＣＤ−ＲＯＭ等の記憶媒体に格納して提供することも可能であり、インターネット等のネットワークに接続されているサーバ装置等から装置内の記憶部にダウンロードしてもよい。また、端末情報取得手段１００、台紙情報表示手段１０１、付箋情報表示手段１０２、操作用画像表示手段１０３及び表示制御手段１０６等の一部又は全部をＡＳＩＣ等のハードウェアによって実現してもよい。なお、上記実施の形態の動作説明で示した各ステップは、順序の変更、ステップの省略、追加が可能である。
【符号の説明】
【０１０７】
１     台紙管理サーバ
２     電子ボード
３ａ-３ｃ     情報端末
４ａ-４ｄ     利用者
５     ネットワーク
６     台紙管理システム
１０   制御部
１１   記憶部
１２   通信部
１００ 端末情報取得手段
１０１ 台紙情報表示手段
１０２ 付箋情報表示手段
１０３ 操作用画像表示手段
１０４ 電子ボード台紙情報更新手段
１０５ 情報端末台紙情報更新手段
１０６ 表示制御手段
１１０ 台紙管理プログラム
１１１ 端末情報
１１２ 台紙情報
１１３ 付箋情報
１１４ 電子ボード台紙情報
１１５ 情報端末台紙情報
【図１】
0005958049.tif 000002
【図２】
0005958049.tif 000003
【図３】
0005958049.tif 000004
【図４】
0005958049.tif 000005
【図５】
0005958049.tif 000006
【図６】
0005958049.tif 000007
【図１０】
0005958049.tif 000008
【図１２】
0005958049.tif 000009
【図１３】
0005958049.tif 000010
【図７】
0005958049.tif 000011
【図８Ａ】
0005958049.tif 000012
【図８Ｂ】
0005958049.tif 000013
【図９】
0005958049.tif 000014
【図１１】
0005958049.tif 000015